(57)【特許請求の範囲】
【請求項１】
映像源と該映像源から拡大投写される映像が結像される透過式スクリーンと該透過式スクリーンを略垂直に保持する保持手段とを含む背面投写型映像表示装置において、前記保持手段は、前記透過式スクリーンの周縁部の少なくとも一部が挿入される溝が形成された硬質素材部と、該溝内において該溝の少なくとも一方の側壁から突出するように形成された軟質素材部とを有する少なくとも一つのスクリーン保持部材とを備え、前記透過式スクリーンの周縁部が、前記軟質素材部の弾力により前記溝内に保持され、前記スクリーン保持部材の軟質素材部は、溝の側壁から溝の底部に向かう方向に伸び、これにより、前記透過式スクリーンを溝に挿入する際の抵抗力が小であり、溝から抜去する際の抵抗力が大であることを特徴とする背面投写型映像表示装置。
【請求項２】
前記保持手段は、前記透過式スクリーンの上端周縁部、左端周縁部及び右端周縁部をそれぞれ保持するために前記スクリーン保持部材を３つ備え、前記保持手段は、更に、前記透過式スクリーンの下端周縁部を支持するスクリーン支持手段を有し、該スクリーン支持手段は、前記透過式スクリーンの下端周縁部を挟持する２つの部材を有し、前記透過式スクリーンの下端周縁部は前記２つの部材の間で摺動可能に挟持されることを特徴とする請求項１に記載の背面投写型映像表示装置。
【請求項３】
前記保持手段は、前記透過式スクリーンの上端周縁部、左端周縁部、右端周縁部及び下端周縁部をそれぞれ保持するために前記スクリーン保持部材を４つ備えることを特徴とする請求項１に記載の背面投写型映像表示装置。
【請求項４】
前記透過式スクリーンの上端周縁部は、下端周縁部にくらべより強い弾力で溝内に保持されることを特徴とする請求項３に記載の背面投写型映像表示装置。
【請求項５】
前記４つのスクリーン保持部材は同じ断面形状を有し、前記透過式スクリーンの上端周縁部の板厚は下端周縁部の板厚より大であることを特徴とする請求項４に記載の背面投写型映像表示装置。
【請求項６】
前記透過式スクリーンの上端周縁部を保持するスクリーン保持部材の軟質素材部の弾力が下端周縁部を保持するスクリーン保持部材の軟質素材部の弾力より大きいことを特徴とする請求項４に記載の背面投写型映像表示装置。
【請求項７】
前記透過式スクリーンの上端周縁部を保持するスクリーン保持部材の軟質素材部の数が下端周縁部を保持するスクリーン保持部材の軟質素材部の数より多いことを特徴とする請求項４に記載の背面投写型映像表示装置。
【請求項８】
前記保持手段は、前記透過式スクリーンの左端周縁部及び右端周縁部をそれぞれ保持するために前記スクリーン保持部材を２つ備え、前記透過式スクリーンの上端周縁部にスクリーン面から突出する段部が形成され、前記保持手段は更に該段部に嵌合する断面形状の溝が形成された該透過式スクリーンを懸垂保持する懸垂保持部材と、前記透過式スクリーンの下端周縁部を支持する支持部材とを有し、該支持部材は、前記透過式スクリーンの下端周縁部を挟持する２つの部材を有し、前記透過式スクリーンの下端周縁部は前記２つの部材の間で摺動可能に挟持されることを特徴とする請求項１に記載の背面投写型映像表示装置。
【請求項９】
前記保持手段は、前記透過式スクリーンの上端周縁部、左端周縁部、右端周縁部及び下端周縁部をそれぞれ保持するために前記スクリーン保持部材を４つ備え、少なくとも一つのスクリーン保持部材の軟質素材部は溝の対向する２つの側壁に対向して形成され、前記透過式スクリーンの少なくとも一つの周縁部が、該対向する２つの軟質素材部の間に挿入されることを特徴とする請求項１に記載の背面投写型映像表示装置。
【請求項１０】
前記透過式スクリーンの上端周縁部は、左端周縁部、右端周縁部及び下端周縁部に比べ、より強い弾力で溝内に保持されることを特徴とする請求項９に記載の背面投写型映像表示装置。
【請求項１１】
前記４つのスクリーン保持部材は、同一の断面形状を有し、前記透過式スクリーンの上端周縁部の板厚は、左端周縁部、右端周縁部及び下端周縁部の板厚より大であることを特徴とする請求項１０に記載の背面投写型映像表示装置。
【請求項１２】
前記透過式スクリーンの上端周縁部を保持するスクリーン保持部材の軟質素材部の弾力は、左端周縁部、右端周縁部及び下端周縁部をそれぞれ保持するスクリーン保持部材の軟質素材部の弾力より大きいことを特徴とする請求項１０に記載の背面投写型映像表示装置。
【請求項１３】
前記透過式スクリーンの上端周縁部を保持するスクリーン保持部材の軟質素材部の数は、左端周縁部、右端周縁部及び下端周縁部をそれぞれ保持するスクリーン保持部材の軟質素材部の数より多いことを特徴とする請求項１０に記載の背面投写型映像表示装置。
【請求項１４】
前記スクリーン保持部材は、硬質部材と軟質部材との一体成型により形成されることを特徴とする請求項１から１３のいずれか一項に記載の背面投写型映像表示装置。
【請求項１５】
前記スクリーン保持部材は、硬質素材と軟質素材の２色押出成形により形成されることを特徴とする請求項１４に記載の背面投写型映像表示装置。
【請求項１６】
前記スクリーン保持部材は、硬質素材中に軟質素材をインサート成形することにより形成されることを特徴とする請求項１４に記載の背面投写型映像表示装置。
【請求項１７】
前記透過式スクリーンがＮ（Ｎは２以上の整数）枚の重ねられたスクリーンから形成され、該透過式スクリーンの板厚はＮｍｍ以下であることを特徴とする請求項１から１６のいずれか一項に記載の背面投写型映像表示装置。
【請求項１８】
前記Ｎ枚のスクリーンは、周縁部の一部で両面接着テープまたは紫外線硬化樹脂接着剤により互いに張合わされていることを特徴とする請求項１７に記載の背面投写型映像表示装置。
【発明の詳細な説明】
【０００１】
【発明の属する技術分野】
本発明は、映像源と該映像源から拡大投写される映像が結像される透過式スクリーンと該透過式スクリーンを略垂直に保持する保持手段とを含む背面投写型映像表示装置に関する。
【０００２】
【従来の技術】
従来の背面投写型映像表示装置の例として、図１９に、実開平４−７０６４５号公報に開示された背面投写型映像表示装置の側断面を示す。図１９において、１は映像源、２は映像源１の映像を拡大投写する投写レンズ、３は投写レンズ２により拡大投写された映像の光路を折り返すミラー、４はミラー３により折り返された映像を結像する透過式スクリーン、５は透過式スクリーン４が取付けられるスクリーン取付部材、６はスクリーン取付部材５に取り付けられた透過式スクリーン４を取付ネジ７によりキャビネット１１に保持するスクリーン保持部材である。
【０００３】
透過式スクリーン４はレンチキュラーレンズクリーン４ａとフレネルレンズスクリーン４ｂからなり、該レンチキュラーレンズクリーンクリーン４ａとフレネルレンズスクリーン４ｂとは、両面接着テープ８によりそれらの上辺部のみ、あるいは上下左右全辺で互いに接着されている。また、透過式スクリーン４がスクリーン取付部材５及びスクリーン保持部材６にそれぞれ当接する面は保護テープ９により保護されている。レンチキュラーレンズスクリーン４ａとフレネルレンズスクリーン４ｂが両面接着テープ８により上辺のみで接着される場合には、上辺以外の辺には両面接着テープ８と同じ厚さの間隔テープ１０が挿入される。
【０００４】
上記の構成を有する従来の背面投写型映像表示装置の透過式スクリーン保持装置では、透過式スクリーン４を構成するレンチキュラーレンズスクリーン４aとフレネルレンズスクリーン４bとが上下左右全辺で両面接着テープ８により密着固定される場合は、スクリーン取付部材５とスクリーン保持部材６との間に挿入される保護テープ９を介して透過式スクリーン４の上下左右全辺が加圧され保持される。また、レンチキュラーレンズスクリーン４aとフレネルレンズスクリーン４bとが上辺部のみで両面接着テープ８により密着固定される場合は、残りの辺には両面接着テープ８の代わりに間隔テープ１０が貼り付けられ、スクリーン取付部材５とスクリーン保持部材６との間に配置される保護テープ９を介して透過式スクリーン４の上下左右全辺が加圧され保持される。尚、レンチキュラーレンズスクリーン４ａとフレネルレンズスクリーン４ｂが両面テープ８により接着されていない辺に間隔テープ１０を貼り付ける代わりに、両面接着テープ８の厚み分の隙間を置くだけにすることもできる。
【０００５】
【発明が解決しようとする課題】
従来の背面投写型映像表示装置においては、薄くて剛性が低く、撓みやすい透過式スクリーン４をスクリーン取付部材５によりキャビネット１１に平面またはある決められた曲面を保ちながら、がたつくことのないよう取付けるには、水平に置かれている透過式スクリーン４が撓むことなく平面または曲面形状を維持することを可能にする特別の治具を使用するか、あるいは透過式スクリーン４の上辺部をスクリーン取付部材５あるいはキャビネット１１に取付けた後、垂直に立てた状態で撓みを伸ばしながら透過式スクリーン４の残りの各辺を取付けるというような煩雑な作業手順が必要となる。
【０００６】
また、上記の構成の背面投写型映像表示装置では、キャビネット１１内外の温度や湿度などの環境変化に起因する透過式スクリーン４の伸縮や変形を吸収することは困難であり、透過式スクリーン４が大きく撓んだり波打つことにより、映像に色むらが発生したり、調整面からのずれによるフォーカス劣化やコンバージェンスずれなどの映像の劣化を引き起こしてしまうという問題がある。また、透過式スクリーン４が、例えばレンチキュラーレンズスクリーン４aとフレネルレンズスクリーン４bの複数のスクリーンから構成され、それらが上下左右全辺で両面接着テープ８により貼り合わされている場合は、キャビネット１１の内部と外部との間で温度や湿度に差が生じた時には、レンチキュラーレンズスクリーン４aとフレネルレンズスクリーン４bのそれぞれの伸縮量や変形量が異なるので、貼り合わされていない中央部でそれらが離れることによりスクリーン面が膨らみ、レンズフォーカスやコンバージェンスがずれて画質が劣化するという問題もある。
【０００７】
更に、背面投射型映像表示装置の輸送時に、レンチキュラーレンズスクリーン４aとフレネルレンズスクリーン４b間の摩擦や衝突により、スクリーン面が削れて白粉が発生し、画質を劣化させるという問題も発生する。また、撓みや波打ちなどの変形や中央部でのスクリーン面の膨らみを防止するために、板厚が厚く剛性の高い透過式スクリーン４、特に、板厚の厚いフレネルレンズスクリーン４ｂを使用すると、透過式スクリーン４の周辺部ほど、フレネルレンズスクリーン４ｂの界面反射による二重像が強く発生し、映像の解像度やコントラストを劣化させるという問題が発生する。
【０００８】
撓みや波打ちなどの変形や部分的な剥離を防止するために透過式スクリーン４の上辺部をスクリーン取付部材５あるいはキャビネット１１に懸垂支持し、残りの各辺を固定せず可動に支持し、環境変化による透過式スクリーン４の伸縮をその自重により吸収するような比較的簡単な構成の保持構造を有する背面投射型映像表示装置も知られているが、万一、透過式スクリーン４に観察者側から外圧が加えられ内側に押し込まれる場合には、透過式スクリーン４がスクリーン保持部材６及びスクリーン取付部材５から外れ、キャビネット内に容易に脱落してしまうという問題がある。
【０００９】
大型の透過式スクリーン４あるいは板厚が薄く剛性の低い透過式スクリーン４をスクリーン取付部材５を介してキャビネット１１に平面またはある決められた曲面を保ちながら取付け、かつ、環境変化による変形を防止するために、透過式スクリーン４周辺部に該透過式スクリーン４の伸縮を吸収するためのコイルばねを取付け、スクリーン取付部材５またはキャビネット１１に該コイルばね取り付けのための構造を形成することも知られているが、この場合、組立作業が複雑になりコスト高になることに加え、透過式スクリーン４有効画面外の部分が大きくなるので装置全体が大きくなるという問題がある。
【００１０】
本発明は上記のような問題を解消するためになされたものであり、背面投写型映像表示装置の透過式スクリーン、特に薄く剛性が低い透過式スクリーンを、透過式スクリーンの有効画面外の部分を大きくさせることなく、撓み、波打ち、部分的なスクリーン面の膨らみ等の変形を生じることのないようにキャビネットに取付け、保持することを課題とする。
【００１１】
【課題を解決するための手段】
上記課題は、映像源と該映像源から拡大投写される映像が結像される透過式スクリーンと該透過式スクリーンを略垂直に保持する保持手段とを含む背面投写型映像表示装置において、前記保持手段は、前記透過式スクリーンの周縁部の少なくとも一部が挿入される溝が形成された硬質素材部と、該溝内において該溝の少なくとも一方の側壁から突出するように形成された軟質素材部とを有する少なくとも一つのスクリーン保持部材とを備え、前記透過式スクリーンの周縁部が、前記軟質素材部の弾力により前記溝内に保持され、前記スクリーン保持部材の軟質素材部は、溝の側壁から溝の底部に向かう方向に伸び、これにより、前記透過式スクリーンを溝に挿入する際の抵抗力が小であり、溝から抜去する際の抵抗力が大であることを特徴とする背面投写型映像表示装置により解決される。
【００１２】
前記保持手段は、前記透過式スクリーンの上端周縁部、左端周縁部及び右端周縁部をそれぞれ保持するために前記スクリーン保持部材を３つ備え、前記保持手段は、更に、前記透過式スクリーンの下端周縁部を支持するスクリーン支持手段を有し、該スクリーン支持手段は、前記透過式スクリーンの下端周縁部を挟持する２つの材を有し、前記透過式スクリーンの下端周縁部は前記２つの部材の間で摺動可能に挟持することができる。
【００１３】
前記保持手段は、前記透過式スクリーンの上端周縁部、左端周縁部、右端周縁部及び下端周縁部をそれぞれ保持するために前記スクリーン保持部材を４つ備えることができる。
【００１４】
前記透過式スクリーンの上端周縁部は、下端周縁部にくらべより強い弾力で溝内に保持されることが好ましい。
【００１５】
前記４つのスクリーン保持部材は同じ断面形状を有し、前記透過式スクリーンの上端周縁部の板厚を下端周縁部の板厚より大とすることができる。
【００１６】
前記透過式スクリーンの上端周縁部を保持するスクリーン保持部材の軟質素材部の弾力を下端周縁部を保持するスクリーン保持部材の軟質素材部の弾力より大きくすることができる。
【００１７】
前記透過式スクリーンの上端周縁部を保持するスクリーン保持部材の軟質素材部の数を下端周縁部を保持するスクリーン保持部材の軟質素材部の数より多くすることができる。
【００１８】
前記保持手段は、前記透過式スクリーンの左端周縁部及び右端周縁部をそれぞれ保持するために前記スクリーン保持部材を２つ備え、前記透過式スクリーンの上端周縁部にスクリーン面から突出する突出部を形成し、前記保持手段は更に該段部に嵌合する断面形状の溝が形成された該透過式スクリーンを懸垂保持する懸垂保持部材と、前記透過式スクリーンの下端周縁部を支持する支持部材とを有し、該支持部材は、前記透過式スクリーンの下端周縁部を挟持する２つの部材を有し、前記透過式スクリーンの下端周縁部を前記２つの部材の間で摺動可能に挟持することができる。
【００１９】
前記保持手段は、前記透過式スクリーンの上端周縁部、左端周縁部、右端周縁部及び下端周縁部をそれぞれ保持するために前記スクリーン保持部材を４つ備え、少なくとも一つのスクリーン保持部材の軟質素材部を溝の対向する２つの側壁に対向して形成し、前記透過式スクリーンの少なくとも一つの周縁部を該対向する２つの軟質素材部の間に挿入することができる。
【００２０】
前記透過式スクリーンの上端周縁部は、左端周縁部、右端周縁部及び下端周縁部に比べ、より強い弾力で溝内に保持されることが好ましい。
【００２１】
前記４つのスクリーン保持部材は、同一の断面形状を有し、前記透過式スクリーンの上端周縁部の板厚を、左端周縁部、右端周縁部及び下端周縁部の板厚より大とすることができる。
【００２２】
前記透過式スクリーンの上端周縁部を保持するスクリーン保持部材の軟質素材部の弾力を、左端周縁部、右端周縁部及び下端周縁部をそれぞれ保持するスクリーン保持部材の軟質素材部の弾力より大きくすることができる。
【００２３】
前記透過式スクリーンの上端周縁部を保持するスクリーン保持部材の軟質素材部の数を、左端周縁部、右端周縁部及び下端周縁部をそれぞれ保持するスクリーン保持部材の軟質素材部の数より多くすることができる。
【００２４】
前記スクリーン保持部材は、前記硬質部材と軟質部材との一体成型により形成されることが好ましい。
【００２５】
前記スクリーン保持部材は、硬質素材と軟質素材の２色押出成形により形成することができる。
【００２６】
前記スクリーン保持部材は、硬質素材中に軟質素材をインサート成形することにより形成できる。
【００２８】
前記透過式スクリーンがＮ（Ｎは２以上の整数）枚のスクリーンから形成し、該透過式スクリーンの板厚をＮｍｍ以下とすることが好ましい。
【００２９】
前記Ｎ枚のスクリーンを、周縁部の一部で両面接着テープまたは紫外線硬化樹脂接着剤により互いに張合わすことができる。
【００３０】
【発明の実施の形態】
実施の形態１．
図１及び図２を用いて本発明の背面投写型映像表示装置の実施の形態１を説明する。図１は実施の形態１の背面投写型映像表示装置の側断面図であり、図２は、実施の形態１の装置の透過式スクリーン保持構造を示す部分断面図である。
【００３１】
図１において、１は映像源、２は映像源１の映像を拡大投写する投写レンズ、３は投写レンズ２により拡大投写された映像の光路を折り返すミラー、４はミラー３により折り返された映像を結像する透過式スクリーン、１１は背面投写型映像表示装置のキャビネット、１２は透過式スクリーン４の上辺を保持するスクリーン保持部材、１４はＰＳなどの硬質素材のインジェクション成型により形成され、不図示のコントロールパネルが組み込まれるスクリーン下部取付部材、１３は透過式スクリーン４の下辺をスクリーン下部取付部材１４とともに支持するスクリーン下部支持部材である。図２において、１５は透過式スクリーン４の左辺及び右辺を保持するスクリーン左右保持部材である。
【００３２】
透過式スクリーン４は、例えば、板厚約０．９ｍｍのレンチキュラーレンズスクリーン４ａと板厚約１．５ｍｍのフレネルレンズスクリーン４ｂからなり、該レンチキュラーレンズスクリーン４ａとフレネルレンズスクリーン４ｂとは、厚さ約０．４ｍｍの両面接着テープ８により互いに接着されている。
【００３３】
スクリーン保持部材１２は、硬質ＰＶＣなどからなる硬質素材部１２ａと軟質ＰＶＣなどからなる軟質素材部１２ｂとから構成され、２色押出成型により形成される。硬質素材部１２ａは透過式スクリーン４の上辺が挿入される溝を有し、軟質素材部１２ｂは該溝の内部に形成されている。透過式スクリーン４の上辺は、この溝の内部で硬質素材部１２ａと軟質素材部１２ｂとにより弾性保持され、透過式スクリーン４はスクリーン保持部材１２により懸垂される状態で保持される。
【００３４】
スクリーン下部支持部材１３は、硬質ＰＶＣなどからなる１色押出成型品であり、取付けネジ７によりスクリーン下部取付部材１４との間で摺動可能の状態に透過式スクリーン４の下辺部を挟持する。スクリーン左右保持部材１５は、スクリーン保持部材１２と同一の断面形状を有しており、硬質ＰＶＣなどの硬質素材部１５ａと軟質ＰＶＣなどの軟質素材部１５ｂとから構成され、２色押出成型により形成される。硬質素材部１５ａは透過式スクリーン４の右辺又は左辺が挿入される溝を有し、軟質素材部１５ｂは該溝の内部に形成されている。透過式スクリーン４の右辺または左辺は、この溝の内部で摺動自在となるように硬質素材部１５ａと軟質素材部１５ｂとにより弾性保持される。
【００３５】
上記の構成を有する背面投写型映像表示装置の透過式スクリーン保持構造においては、スクリーン保持部材１２の軟質素材部１２ｂは、硬質素材部１２ａに形成されている溝の底部に向かって斜めに伸びるように形成され、硬質素材部１２ａと軟質素材部１２ｂ部との間の間隙は例えば２．４ｍｍである。この間隙に、厚さが０．４ｍｍの両面接着テープ８を含む、板厚約２．８ｍｍの透過式スクリーン４の上辺を挿入する際には、軟質素材部１２ｂは挿入方向に倒れるので挿入方向への抵抗力は小さい。一方、透過式スクリーン４が溝から抜去される方向に外圧が加えられる場合には、軟質素材部１２ｂが楔として働き非常に大きな抵抗力を示すので、透過式スクリーン４の上辺部はスクリーン保持部材１２により確実に懸垂保持され、脱落を防止する。
【００３６】
また、両面接着テープ８を含まず、板厚が２．４ｍｍである透過式スクリーン４の左辺、右辺、及び下辺は、スクリーン下部取付部材１４とスクリーン下部支持部材１３との間の約２．４ｍｍ強の間隙、およびスクリーン左右保持部材１５の溝内の硬質素材部１５ａと軟質素材部１５ｂと間の２．４ｍｍの間隙にそれぞれ摺動自在に支持され、透過式スクリーンの環境変化による伸縮や輸送時の振動による変形などは滑らかに吸収されるので、透過式スクリーン４の撓みや局部的変形、波打ち、部分的膨らみを防止することができる。誤って観察者が透過式スクリーン４をキャビネットの内側に押し込んだ場合には軟質素材部１２ｂおよび１５ｂ部が楔として作用し、その抵抗力により透過式スクリーン４の脱落・破損を防止できる。
【００３７】
上記の実施の形態１では、また、スクリーン保持部材１２およびスクリーン左右保持部材１５を２色押出成型により一体に形成したことにより、部品点数が削減されるので製造コストが低減され、また、組立作業性も改善される。
【００３８】
実施の形態２．
図３及び図４を参照して、本発明の背面投写型映像表示装置の実施の形態２を説明する。図３は実施の形態２の背面投写型映像表示装置の側断面図であり、図４は、実施の形態２の装置の透過式スクリーン保持構造を示す部分断面図である。
【００３９】
上記の実施の形態１では、板厚約２．４ｍｍの透過式スクリーンを保持しているが、実施の形態２では、板厚約０．７ｍｍのレンチキュラーレンズスクリーン４ａと板厚約０．８５ｍｍのフレネルレンズスクリーン４ｂからなり、板厚計が約１．５５ｍｍのより薄くて剛性の低い透過式スクリーン４を保持するのに好適な構成を有する。
【００４０】
実施の形態２では、実施の形態１で用いたスクリーン下部支持部材１３とスクリーン下部取付部材１４に代えて、硬質ＰＶＣなどの硬質素材部１６ａと軟質ＰＶＣなどの軟質素材部１６ｂとからなり２色押出成型により形成されたスクリーン下部保持部材１６と、ＰＳなどの硬質素材部１７ａと軟質ＰＶＣなどの軟質素材部１７ｂとからなりインサート成型により形成されたスクリーン下部取付部材１７とを用いている。スクリーン下部保持部材１６及びスクリーン下部取付部材１７の各軟質素材部は、該スクリーン下部保持部材１６及びスクリーン下部取付部材１７により形成される溝の底部に向かって斜めに伸びている。実施の形態２では、透過式スクリーン４の下辺もスクリーン下部保持部材１６の軟質素材部１６ｂとスクリーン下部取付部材１７の軟質素材部１７ｂとにより弾性保持されるので、薄く剛性の小さい透過式スクリーン４を用いる場合も、レンチキュラーレンズスクリーン４ａとフレネルレンズスクリーン４ｂを上辺及び下辺の両方で弾性保持し、スクリーン面を充分に展張することができるとともに、温度湿度などの環境変化の際には、軟質素材部１６ｂ及び１７ｂが透過式スクリーン４の膨張方向に対しては比較的弱い抵抗力を示し、収縮方向に対しては大きな抵抗力を示すので、輸送時の振動、衝撃、外圧にも耐えることができる。また、透過式スクリーン４の取付時には、取付後に立てた状態で２〜３回揺するだけで、撓みや局部的変形などを吸収することができる。
【００４１】
実施の形態３．
図５及び図６を参照して、本発明の背面投写型映像表示装置の実施の形態３を説明する。図５は実施の形態３の背面投写型映像表示装置の側断面図であり、図６は、実施の形態３の装置の透過式スクリーン保持構造を示す部分断面図である。
【００４２】
この実施の形態３では、実施の形態２で用いたスクリーン下部保持部材１６及びスクリーン下部取付部材１７に代えて、透過式スクリーン４の上辺を保持するスクリーン保持部材１２を下辺を保持するためにも使用し、その硬質素材部１２ａと軟質素材部１２ｂの間隙をスクリーン左右保持部材１５の硬質素材部１５ａと軟質素材部１５ｂの間隙よりも狭くしている。透過式スクリーン４の上辺は両面テープ８の分だけ下辺よりも厚いので、上辺は下辺に比べより強い力で圧接される。実施の形態３では、実施の形態２と同様、環境変化や輸送時の振動、衝撃、外圧に耐えることができることに加え、透過式スクリーン４の上下辺と左右辺を保持する保持部材を同一押出金型から成型することができるので、製造コストを低減することができる。
【００４３】
実施の形態４．
図７及び図８を参照して、本発明の背面投写型映像表示装置の透過式スクリーン保持装置の実施の形態４を説明する。図７は実施の形態４の背面投写型映像表示装置の側断面図であり、図８は実施の形態４の装置の透過式スクリーンの保持構造を示す部分断面図である。
【００４４】
この実施の形態４では、実施の形態３と同様の構成を有するが、透過式スクリーン４の上辺を保持するスクリーン保持部材１２は、軟質素材部１２ｂではなく、硬度がより高めで弾力の強い軟質素材部１２ｃを有する。この軟質素材部１２ｃと硬質素材部１２ａとからなるスクリーン保持部材１２も、２色押出成型により形成される。
【００４５】
実施の形態４では、透過式スクリーン４の上辺は軟質素材部１２ｃにより左右下辺よりも強い力で保持され、且つ左右辺及び下辺も軟質素材部１５ｂ、１２ｂによりそれぞれ保持されるため、環境変化や輸送時の振動、衝撃に対し、更に強い耐久性を有する。
【００４６】
実施の形態５．
図９及び図１０を参照して、本発明の背面投写型映像表示装置の実施の形態５を説明する。図９は実施の形態５の背面投写型映像表示装置の側断面図であり、図１０は実施の形態５の装置の透過式スクリーン保持構造を示す部分断面図である。
【００４７】
この実施の形態５では、実施の形態３で用いた透過式スクリーン４の下辺を保持するスクリーン下部保持部材１２に代えて、硬質素材部１８ａと軟質素材部１８ｂとから構成されるスクリーン下部保持部材１８を用いている。スクリーン下部保持部材１８は、軟質素材部の数が少ない点でスクリーン下部保持部材１２と異なる。軟質素材部の数の少ないスクリーン下部保持部材１８を使用することにより、透過式スクリーン４の上辺は下辺に比べ強い力で保持され、環境変化や輸送時の振動、衝撃、外圧をより効果的に吸収し、スクリーン面を十分に展張した状態で保持することができる。
【００４８】
実施の形態６．
図１１及び図１２を参照して、本発明の背面投写型映像表示装置の実施の形態６を説明する。図１１は実施の形態６の背面投写型映像表示装置の側断面図であり、図１２は実施の形態６の装置の透過式スクリーン保持構造を示す部分断面図である。
【００４９】
この実施の形態６では、実施の形態１で用いたスクリーン保持部材１２に代えて、透過式スクリーン４の上端部に形成されたスクリーン面から突出する段部４ｃと嵌合する断面形状の溝を有するスクリーン懸垂部材１９を使用し、かつ、スクリーン左右保持部材１５に代えて、硬質素材部２０ａと軟質素材部２０ｂの間隙を透過式スクリーン４の右辺及び左辺の板厚よりも狭くしたスクリーン左右保持部材２０を使用している。実施の形態６では、環境変化や輸送時の振動、衝撃、外圧が加わった場合においても、透過式スクリーン４の上辺部が確実に懸垂保持されるとともに、左右方向の撓みや波打ちなどの変形も効果的に吸収される。
【００５０】
実施の形態７．
図１３及び図１４を参照して、本発明の背面投写型映像表示装置の実施の形態７を説明する。図１３は実施の形態７の背面投写型映像表示装置の側断面図であり、図１４は実施の形態７の装置の透過式スクリーン保持構造を示す部分断面図である。
【００５１】
この実施の形態７では、実施の形態３で用いたスクリーン保持部材１２とスクリーン左右保持部材１５に代えて、硬質ＰＶＣなどの硬質素材部２１ａと軟質ＰＶＣなどの軟質素材部２１ｂの２色押出成型にて形成されたスクリーン保持部材２１をそれぞれ用いることにより、透過式スクリーン４のすべての辺を弾性保持している。スクリーン保持部材２１は、スクリーン保持部材１２同様、透過式スクリーンの辺部が挿入される溝が形成された硬質素材部２１ａと溝の低部に向って斜めに伸びる軟質素材部２１ｂを有するが、軟質素材部２１ｂは溝の対向する２つの側壁の両方に形成され、透過式スクリーン４はこの対向する２つの軟質素材部２１ｂの間に弾性保持される点でスクリーン保持部材１２と異なる。
【００５２】
実施の形態７は、実施の形態３の場合と同様、透過式スクリーン４の上下及び左右の各辺を保持する保持部材を同一押出金型から成型することができるので、製造コストを低減することができることに加え、対向する軟質素材部２１ｂが透過式スクリーン４の各辺を両面で保持するので、実施の形態３の場合に比べ、より大きな環境変化や輸送時の振動、衝撃に耐えることができ、より薄くて剛性の低い透過式スクリーン４を保持することができる。
【００５３】
実施の形態８．
図１５及び図１６を参照して、本発明の背面投写型映像表示装置の実施の形態８を説明する。図１５は実施の形態８の背面投写型映像表示装置の側断面図であり、図１６は実施の形態８の装置の透過式スクリーン保持構造を示す部分断面図である。
【００５４】
この実施の形態８では、透過式スクリーン４の上下左右の各辺を保持する４つのスクリーン保持部材２１のうち、上辺部を保持するもののみ、軟質素材部２１ｂに代わる、硬度がより高めで弾力の強い軟質素材部２１ｃを備える点で実施の形態７と異なる。この軟質素材部２１ｃと硬質素材部２１ａとからなるスクリーン保持部材２１も、２色押出成型により形成される。軟質素材２１ｂと同様に軟質素材２１ｃは溝の対向する２つの側壁にそれぞれ形成され、溝の低部に向って斜めに伸び、透過式スクリーン４の両面に圧接して該透過式スクリーン４を弾性保持する。
【００５５】
両面テープ８が上下左右のすべての辺に設けられ、従って厚みがすべての辺で同じ透過式スクリーン４を保持する場合、実施の形態８では、上辺は軟質素材２１ｃにより左右下辺よりも強い力で保持され、且つ左右下辺も軟質素材２１ｂにより保持されるため、環境変化や輸送時の振動に対し、更に強い耐久力を有する。
【００５６】
実施の形態９．
図１７及び図１８を参照して、本発明の背面投写型映像表示装置の実施の形態９を説明する。図１７は実施の形態９の背面投写型映像表示装置の側断面図であり、図１８は実施の形態９の装置の透過式スクリーン保持構造を示す部分断面図である。
【００５７】
この実施の形態９は、実施の形態７に用いた、透過式スクリーン４の左辺、右辺及び下辺をそれぞれ保持するスクリーン保持部材２１の代わりに、スクリーン保持部材２２を用いるものである。スクリーン保持部材２２も、硬質素材部２２ａと軟質素材部２２ｂとから構成されるが、スクリーン保持部材２１と比べ、軟質素材部の数が少ないので、透過式スクリーン４の各辺の保持力は上辺が最も強く、環境変化や輸送時の振動、衝撃、外圧による透過式スクリーンの撓み、波打ちをより効果的に防止できる。
【００５８】
【発明の効果】
請求項１に記載の発明によれば、透過式スクリーンはスクリーン保持部材の溝に挿入するだけで弾性的に保持されるので、組立が容易であり、また、ネジなどで固定しないので取付け金具などの部品点数が削減でき、且つ、スクリーン周縁部の変形やしわの発生を防止できる。また、コイルばね等を用いないので背面投写型映像表示装置全体の寸法を小さくできる。さらに、透過式スクリーンを溝に挿入する際の抵抗力が小さく、溝から抜去する際の抵抗力が大きいので、輸送時や設置後に外圧が加わった場合においても透過式スクリーンは脱落しにくく、また、環境変化により透過式スクリーンが伸びた場合、その伸びは滑らかに吸収され、また、収縮した場合、その収縮は展張力として作用し、薄くて剛性の低い透過式スクリーンの撓みや波打ちまたはスクリーン面の部分的な膨らみをより効果的に防止することができる。
【００５９】
請求項２に記載の発明によれば、請求項１に記載の発明の効果に加え、透過式スクリーンの上辺、右辺及び左辺はスクリーン保持部材の溝内に弾性的に保持されるとともに、下辺を２つの部材の間に摺動可能に挟持するので、更に取付け金具などの部品点数を削減でき、また、環境変化によるスクリーンの伸縮を吸収できるので、透過式スクリーンの撓み、波打ちを防止できる。
【００６０】
請求項３に記載の発明によれば、請求項１に記載の発明の効果に加え、透過式スクリーンの上下左右の４つの辺をスクリーン保持部の溝に弾性的に保持するので、透過式スクリーンに十分な張りを持たせることができ、且つ透過式スクリーンを脱落し難くすることができる。また、透過式スクリーンの伸縮をより滑らかに吸収できるので薄く剛性の低い透過式スクリーンを保持することができる。
【００６１】
請求項４に記載の発明によれば、請求項３に記載の発明の効果に加え、スクリーン４の上辺が下辺に比べ強い力で保持されるので、透過式スクリーンの撓み、波うちをより効果的に防止でき、また、透過式スクリーンを更に脱落し難くすることができる。
【００６２】
請求項５に記載の発明によれば、請求項４に記載の発明の効果に加え、すべてのスクリーン保持部材が同じ断面形状を有するので同一の金型から形成でき、製造コストを低減することができる。
【００６３】
請求項６に記載の発明によれば、請求項４に記載の発明の効果に加え、板厚が上辺及び下辺で同じ透過式スクリーンを保持することができる。また、すべてのスクリーン保持部材の断面形状を同じにして同一の金型から形成することにより製造コストを低減することができる。
【００６４】
請求項７に記載の発明によれば、請求項４に記載の発明の効果に加え、板厚が上辺及び下辺で同じ透過式スクリーンを保持することができる。
【００６５】
請求項８に記載の発明によれば、請求項１に記載の発明の効果に加え、透過式スクリーンの上辺の段部がスクリーン保持部材の溝内に嵌合するので、透過式保持スクリーンが確実に懸垂保持され、更に脱落し難くなる。
【００６６】
請求項９に記載の発明によれば、請求項１に記載の発明の効果に加え、透過式スクリーンの少なくとも一つの辺が、溝内で対向する２つの軟質素材部により両面で弾性保持されるので、透過式スクリーンに張りを持たせて保持することができる。
【００６７】
請求項１０に記載の発明によれば、請求項９に記載の発明の効果に加え、スクリーンの上辺が下辺に比べより強い力で保持されるので、透過式スクリーンの撓み、波うちをより効果的に防止でき、また、透過式スクリーンを更に脱落し難くすることができる。
【００６８】
請求項１１に記載の発明によれば、請求項１０に記載の発明の効果に加え、すべてのスクリーン保持部材が同じ断面形状を有するので同一の金型から形成でき、製造コストを低減することができる。
【００６９】
請求項１２に記載の発明によれば、請求項１０に記載の発明の効果に加え、板厚が上辺及び下辺で同じ透過式スクリーンを保持することができる。また、軟質素材部の材質のみを変更し、すべてのスクリーン保持部材の断面形状を同じにすることができるので、すべてのスクリーン保持部材を同一の金型から形成することにより製造コストを低減することができる。
【００７０】
請求項１３に記載の発明によれば、請求項１０に記載の発明の効果に加え、板厚が上辺及び下辺で同じ透過式スクリーンを保持することができる。
【００７１】
請求項１４に記載の発明によれば、スクリーン保持部材を硬質素材と軟質素材との一体成形により形成することにより、部品点数の削減並びに組立作業性の改善を図ることができる。
【００７２】
請求項１５に記載の発明によれば、スクリーン保持部材を硬質素材と軟質素材との２色押出成形により形成することにより、部品点数の削減並びに組立作業性の改善という効果を低コストで得ることができる。
【００７３】
請求項１６に記載の発明によれば、硬質素材中に軟質素材をインサート成形してスクリーン保持部材を形成することにより、インジェクション成型による意匠性や機能性を確保しながら部品点数の削減並びに組立作業性の改善という目的を比較的低コストで達成することができる。
【００７５】
請求項１７に記載の発明によれば、スクリーン界面の内部反射による二重像の目立たない解像性能の良い背面投写型映像表示装置が得られる。
【００７６】
請求項１８に記載の発明によれば、請求項１７に記載の発明の効果に加え、透過式スクリーンを構成する各スクリーンの１辺を接着テープあるいは両面接着テープあるいは紫外線硬化樹脂接着剤で貼り付けることにより、その部分の板厚が厚くなるので、該辺をスクリーン保持手段の溝に挿入することにより、より強い保持力が自然に得られ、過大な保持力をかけることによりフレネルレンズをつぶし、画質を劣化させることを防止できる。
【図面の簡単な説明】
【図１】  本発明の背面投写型映像表示装置の実施の形態１の側断面図である。
【図２】  本発明の背面投写型映像表示装置の実施の形態１の透過式スクリーン保持構造を示す部分断面図である。
【図３】  本発明の背面投写型映像表示装置の実施の形態２の側断面図である。
【図４】  本発明の背面投写型映像表示装置の実施の形態２の透過式スクリーン保持構造を示す部分断面図である。
【図５】  本発明の背面投写型映像表示装置の実施の形態３の側断面図である。
【図６】  本発明の背面投写型映像表示装置の実施の形態３の透過式スクリーン保持構造を示す部分断面図である。
【図７】  本発明の背面投写型映像表示装置の実施の形態４の側断面図である。
【図８】  本発明の背面投写型映像表示装置の実施の形態４の透過式スクリーン保持構造を示す部分断面図である。
【図９】  本発明の背面投写型映像表示装置の実施の形態５の側断面図である。
【図１０】  本発明の背面投写型映像表示装置の実施の形態５の透過式スクリーン保持構造を示す部分断面図である。
【図１１】  本発明の背面投写型映像表示装置の実施の形態６の側断面図である。
【図１２】  本発明の背面投写型映像表示装置の実施の形態６の透過式スクリーン保持構造を示す部分断面図である。
【図１３】  本発明の背面投写型映像表示装置の実施の形態７の側断面図である。
【図１４】  本発明の背面投写型映像表示装置の実施の形態７の透過式スクリーン保持構造を示す部分断面図である。
【図１５】  本発明の背面投写型映像表示装置の実施の形態８の側断面図である。
【図１６】  本発明の背面投写型映像表示装置の実施の形態８の透過式スクリーン保持構造を示す部分断面図である。
【図１７】  本発明の背面投写型映像表示装置の実施の形態９の側断面図である。
【図１８】  本発明の背面投写型映像表示装置の実施の形態９の透過式スクリーン保持構造を示す部分断面図である。
【図１９】  従来の背面投写型映像表示装置の側断面図である。
【符号の説明】
１  映像源、  ２  投写レンズ、  ３  ミラー、  ４  透過式スクリーン、  ４ｃ  段部、  ８  両面接着テープ、  １２  スクリーン保持部材、  １２ａ  硬質素材部、  １２ｂ  軟質素材部、  １３  スクリーン下部支持部材、  １４スクリーン下部取付部材、  １５  スクリーン左右保持部材、  １５ａ  硬質素材部、  １５ｂ  軟質素材部、  １６  スクリーン下部保持部材、  １６ａ  硬質素材部、  １６ｂ  軟質素材部、  １７  スクリーン下部取付部材、  １８スクリーン下部保持部材、  １８ａ  硬質素材部、  １８ｂ  軟質素材部、  １９  スクリーン懸垂部材、  ２０  スクリーン左右保持部材、  ２０ａ  硬質素材部、  ２０ｂ  軟質素材部、  ２１  スクリーン保持部材、  ２１ａ  硬質素材部、  ２１ｂ  軟質素材部、  ２１ｃ  軟質素材部、  ２２  スクリーン保持部材、  ２２ａ  硬質素材部、  ２２ｂ  軟質素材部。
【図１】
0004737798.tif 000002
【図２】
0004737798.tif 000003
【図３】
0004737798.tif 000004
【図４】
0004737798.tif 000005
【図５】
0004737798.tif 000006
【図６】
0004737798.tif 000007
【図７】
0004737798.tif 000008
【図８】
0004737798.tif 000009
【図９】
0004737798.tif 000010
【図１０】
0004737798.tif 000011
【図１１】
0004737798.tif 000012
【図１２】
0004737798.tif 000013
【図１３】
0004737798.tif 000014
【図１４】
0004737798.tif 000015
【図１５】
0004737798.tif 000016
【図１６】
0004737798.tif 000017
【図１７】
0004737798.tif 000018
【図１８】
0004737798.tif 000019
【図１９】
0004737798.tif 000020